(57)【要約】      （修正有）【課題】携帯端末利用者の個人属性情報に該当する広告を配信し、きめ細かく高い宣伝効果を発揮する方法を提供する。【解決手段】電話網を介して接続される複数の携帯端末に対し、個人属性情報を登録する個人属性情報取得手段１０と、複数の広告コンテンツに設定されたユーザー属性情報と個人属性情報が該当する場合に、広告権利を付与して選択的注意を喚起させる認知機能と、広告視聴可能者数の範囲内に限定して広告を配信する先行者利益の意識付け機能に基づき演算処理して抽出された広告コンテンツを配信する広告配信手段１１と、広告を視聴した者に与えられるポイントを積算する広告視聴ポイント積算手段１２とを備える。【選択図】図２
2017084318.tif 000002
【特許請求の範囲】
【請求項１】
電話網を介して接続される複数の携帯端末に対し、個人属性情報を登録する個人属性情報取得手段と、複数の広告コンテンツに設定されたユーザー属性情報と前記個人属性情報が該当する場合に、広告権利を付与して選択的注意を喚起させる認知機能と広告視聴可能者数の範囲内に限定して広告を配信する先行者利益の意識付け機能に基づき演算処理して抽出された広告コンテンツを配信する広告配信手段と、広告を視聴した者に与えられるポイントを積算する広告視聴ポイント積算手段と、複数のアンケートに設定された調査対象者属性情報と前記個人属性情報が該当する場合に、アンケート権利を付与して選択的注意を喚起させる認知機能とアンケート回答可能者数の範囲内に限定してアンケートを配信する先行者利益の意識付け機能に基づき演算処理して抽出されたアンケートを配信するアンケート配信手段と、アンケート回答した者に与えられるポイントを積算するアンケート回答ポイント積算手段と、を備えることを特徴とする広告とアンケートを連動させて配信する情報処理装置。
【請求項２】
前記広告配信手段と前記アンケート配信手段に、携帯端末利用者による通話中の音声に含まれる単語の通話キーワードと登録されたキーワードが対応したことを検出する機能を含むことを特徴とする請求項１に記載の広告とアンケートを連動させて配信する情報処理装置。
【請求項３】
情報処理装置が、携帯端末に向けて広告情報を配信する方法であって、前記情報処理装置が、複数の広告コンテンツに設定されたユーザー属性情報と利用者の個人属性情報が該当する場合に、該当する件数の広告権利を付与して選択的注意を喚起させる認知機能ステップと広告視聴可能者数の範囲内に限定して広告を配信する先行者利益の意識付け機能ステップと、前記認知機能と前記意識付け機能に基づき演算処理して抽出された広告コンテンツを配信する広告配信ステップと、広告を視聴した者に与えられる広告視聴ポイントを積算する広告視聴ポイント積算ステップと、視聴した広告件数と同数の前記広告権利を減算する広告権利減算ステップと、を有することを特徴とする広告情報配信方法。
【請求項４】
情報処理装置が、携帯端末に向けてアンケート情報を配信する方法であって、前記情報処理装置が、複数のアンケートに設定された調査対象者属性情報と利用者の個人属性情報が該当する場合に、該当する件数のアンケート権利を付与して選択的注意を喚起させる認知機能ステップとアンケート回答可能者数の範囲内に限定してアンケートを配信する先行者利益の意識付け機能ステップと、前記認知機能と前記意識付け機能に基づき演算処理して抽出されたアンケートを配信するアンケート配信ステップと、アンケート回答した者に与えられるアンケート回答ポイントを積算するアンケート回答ポイント積算ステップと、アンケート回答した件数と同数の前記アンケート権利を減算するアンケート権利減算ステップと、を有することを特徴とするアンケート情報配信方法。
【請求項５】
情報処理装置が、携帯端末に向けて広告情報とアンケート情報を配信する方法であって、前記情報処理装置が、複数の広告コンテンツに設定されたユーザー属性情報と利用者の個人属性情報が該当する場合に、該当する件数の広告権利を付与して選択的注意を喚起させる認知機能ステップと広告視聴可能者数の範囲内に限定して広告を配信する先行者利益の意識付け機能ステップと、前記認知機能と前記意識付け機能に基づき演算処理して抽出された広告コンテンツを配信する広告配信ステップと、広告を視聴した者に与えられる広告視聴ポイントを積算する広告視聴ポイント積算ステップと、視聴した広告件数と同数の前記広告権利を減算する広告権利減算ステップと、配信された前記広告コンテンツに連動してアンケートを配信するアンケート配信ステップと、アンケート回答した者に与えられるアンケート回答ポイントを積算するアンケート回答ポイント積算ステップと、アンケート回答した件数と同数の前記アンケート権利を減算するアンケート権利減算ステップと、を有することを特徴とする広告情報とアンケート情報を連続して配信する方法。
【請求項６】
情報処理装置が、携帯端末に向けてアンケート情報と広告情報を配信する方法であって、前記情報処理装置が、複数のアンケートに設定された調査対象者属性情報と利用者の個人属性情報が該当する場合に、該当する件数のアンケート権利を付与して選択的注意を喚起させる認知機能ステップとアンケート回答可能者数の範囲内に限定してアンケートを配信する先行者利益の意識付け機能ステップと、前記認知機能と前記意識付け機能に基づき演算処理して抽出されたアンケートを配信するアンケート配信ステップと、アンケート回答した者に与えられるアンケート回答ポイントを積算するアンケート回答ポイント積算ステップと、アンケート回答した件数と同数の前記アンケート権利を減算するアンケート権利減算ステップと、配信された前記アンケートに連動して広告を配信する広告配信ステップと、広告視聴した者に与えられる広告視聴ポイントを積算する広告視聴ポイント積算ステップと、視聴した広告件数と同数の前記広告権利を減算する広告権利減算ステップと、を有することを特徴とするアンケート情報と広告情報を連続して配信する方法。
【請求項７】
情報処理装置が、発信電話番号の発呼信号を検知したことに応じ、請求項３から請求項６のうちいずれか１項に記載の情報配信した後に、通話することができることを特徴とする広告宣伝とアンケートを連動した音声通話方法。
【請求項８】
情報処理装置が、発信電話番号の発呼信号による電話通話後に、前記発信電話番号の発呼信号を検知したことに応じ、請求項３から請求項６のうちいずれか１項に記載の情報配信することができることを特徴とする広告宣伝とアンケートを連動した音声通話方法。
【請求項９】
情報処理装置が、請求項３から請求項８のうちいずれか１項に記載の前記認知機能ステップに、携帯端末利用者による通話中の音声に含まれる単語の通話キーワードと設定登録されたキーワードが対応して検出するステップを含むことを特徴とする情報配信方法。
【請求項１０】
情報処理装置が、請求項３から請求項９のうちいずれか１項に記載の情報発信するステップの前に、利用者がＧＰＳ位置情報に該当するか否かのＧＰＳ位置情報ステップを含むことを特徴とする情報配信方法。
【発明の詳細な説明】
【技術分野】
【０００１】
本発明は、携帯端末利用者の個人属性情報に基づいて広告及びアンケートを配信する方法に関するものである。
【背景技術】
【０００２】
従来、ＧＰＳ機能付き携帯端末の利用者の位置情報に対応して、登録された地域に関連する広告コンテンツとして、映像、音声、音声付き映像などのメディアを通話の最初に配信し視聴させることで通話料金割引サービスを提供する技術が開示されている（特許文献１参照）。
【０００３】
このサービスのメリットは、広告主は利用者の位置情報を把握することによって、高い宣伝効果を発揮する広告配信のビジネスモデルに関するものである。広告主の企業には宣伝効果を高める、通信サービス提供者には広告主の企業から広告配信料収入、広告を視聴する携帯端末の利用者には、通話料金の割引といった三者にメリットを生むことができるものである。通信サービス提供者とは、電気通信事業を行う会社の総称であって、音声通話やデータ通信をはじめとする通信サービスを提供する事業者をいう。
【先行技術文献】
【特許文献】
【０００４】
【特許文献１】特開２００３−１６３４８号公報
【発明の概要】
【発明が解決しようとする課題】
【０００５】
しかしながら、従来のビジネスモデルにおいては、以下に掲げる問題点がある。
ＧＰＳ機能付き携帯端末を利用した正確な位置情報により、地域別に細分化した広告を配信できるものの、利用者の趣味趣向に即した広告の配信ができないため、広告宣伝の積極的視聴に至らず、充分な宣伝効果が期待できなかった。
また、利用者の趣味趣向を含む個人属性情報が把握できていないので、利用者にとっても有益な情報が得られない場合が多く、効果的な広告宣伝となっていない。
広告主の企業には充分な宣伝効果が期待できていないことになり、通信サービス提供者は広告主の企業から広告配信料収入が増えず、広告を視聴する携帯端末の利用者には通話料金割引といったメリットが生かされていない。
【０００６】
本発明は上記欠点を解消するために、携帯端末利用者の個人属性情報に該当する広告権利者に限定して広告を配信し、またアンケート権利者に限定してアンケートを配信することができ、きめ細かく高い宣伝効果を発揮する広告及びアンケートを配信する方法を提供するものである。
また、利用者が広告を視聴した後は広告視聴ポイントを付与し、アンケートに回答した後はアンケート回答ポイントを付与し、携帯端末の電話利用時において通信（通話）料金の割引に寄与することを目的としている。
【課題を解決するための手段】
【０００７】
請求項１に記載の発明は、電話網を介して接続される複数の携帯端末に対し、個人属性情報を登録する個人属性情報取得手段と、複数の広告コンテンツに設定されたユーザー属性情報と前記個人属性情報が該当する場合に、広告権利を付与して選択的注意を喚起させる認知機能と広告視聴可能者数の範囲内に限定して広告を配信する先行者利益の意識付け機能に基づき演算処理して抽出された広告コンテンツを配信する広告配信手段と、広告を視聴した者に与えられるポイントを積算する広告視聴ポイント積算手段と、複数のアンケートに設定された調査対象者属性情報と前記個人属性情報が該当する場合に、アンケート権利を付与して選択的注意を喚起させる認知機能とアンケート回答可能者数の範囲内に限定してアンケートを配信する先行者利益の意識付け機能に基づき演算処理して抽出されたアンケートを配信するアンケート配信手段と、アンケート回答した者に与えられるポイントを積算するアンケート回答ポイント積算手段と、を備えることを特徴とする広告とアンケートを連動させて配信する情報処理装置である。
【０００８】
請求項２に記載の発明は、前記広告配信手段と前記アンケート配信手段に、携帯端末利用者による通話中の音声に含まれる単語の通話キーワードと登録されたキーワードが対応したことを検出する機能を含むことを特徴とする請求項１に記載の広告とアンケートを連動させて配信する情報処理装置である。
【０００９】
請求項３に記載の発明は、情報処理装置が、携帯端末に向けて広告情報を配信する方法であって、前記情報処理装置が、複数の広告コンテンツに設定されたユーザー属性情報と利用者の個人属性情報が該当する場合に、該当する件数の広告権利を付与して選択的注意を喚起させる認知機能ステップと広告視聴可能者数の範囲内に限定して広告を配信する先行者利益の意識付け機能ステップと、前記認知機能と前記意識付け機能に基づき演算処理して抽出された広告コンテンツを配信する広告配信ステップと、広告を視聴した者に与えられる広告視聴ポイントを積算する広告視聴ポイント積算ステップと、視聴した広告件数と同数の前記広告権利を減算する広告権利減算ステップと、を有することを特徴とする広告情報配信方法である。
【００１０】
請求項４に記載の発明は、情報処理装置が、携帯端末に向けてアンケート情報を配信する方法であって、前記情報処理装置が、複数のアンケートに設定された調査対象者属性情報と利用者の個人属性情報が該当する場合に、該当する件数のアンケート権利を付与して選択的注意を喚起させる認知機能ステップとアンケート回答可能者数の範囲内に限定してアンケートを配信する先行者利益の意識付け機能ステップと、前記認知機能と前記意識付け機能に基づき演算処理して抽出されたアンケートを配信するアンケート配信ステップと、アンケート回答した者に与えられるアンケート回答ポイントを積算するアンケート回答ポイント積算ステップと、アンケート回答した件数と同数の前記アンケート権利を減算するアンケート権利減算ステップと、を有することを特徴とするアンケート情報配信方法である。
【００１１】
請求項５に記載の発明は、情報処理装置が、携帯端末に向けて広告情報とアンケート情報を配信する方法であって、前記情報処理装置が、複数の広告コンテンツに設定されたユーザー属性情報と利用者の個人属性情報が該当する場合に、該当する件数の広告権利を付与して選択的注意を喚起させる認知機能ステップと広告視聴可能者数の範囲内に限定して広告を配信する先行者利益の意識付け機能ステップと、前記認知機能と前記意識付け機能に基づき演算処理して抽出された広告コンテンツを配信する広告配信ステップと、広告を視聴した者に与えられる広告視聴ポイントを積算する広告視聴ポイント積算ステップと、視聴した広告件数と同数の前記広告権利を減算する広告権利減算ステップと、配信された前記広告コンテンツに連動してアンケートを配信するアンケート配信ステップと、アンケート回答した者に与えられるアンケート回答ポイントを積算するアンケート回答ポイント積算ステップと、アンケート回答した件数と同数の前記アンケート権利を減算するアンケート権利減算ステップと、を有することを特徴とする広告情報とアンケート情報を連続して配信する方法である。
【００１２】
請求項６に記載の発明は、情報処理装置が、携帯端末に向けてアンケート情報と広告情報を配信する方法であって、前記情報処理装置が、複数のアンケートに設定された調査対象者属性情報と利用者の個人属性情報が該当する場合に、該当する件数のアンケート権利を付与して選択的注意を喚起させる認知機能ステップとアンケート回答可能者数の範囲内に限定してアンケートを配信する先行者利益の意識付け機能ステップと、前記認知機能と前記意識付け機能に基づき演算処理して抽出されたアンケートを配信するアンケート配信ステップと、アンケート回答した者に与えられるアンケート回答ポイントを積算するアンケート回答ポイント積算ステップと、アンケート回答した件数と同数の前記アンケート権利を減算するアンケート権利減算ステップと、配信された前記アンケートに連動して広告を配信する広告配信ステップと、広告視聴した者に与えられる広告視聴ポイントを積算する広告視聴ポイント積算ステップと、視聴した広告件数と同数の前記広告権利を減算する広告権利減算ステップと、を有することを特徴とするアンケート情報と広告情報を連続して配信する方法である。
【００１３】
請求項７に記載の発明は、情報処理装置が、発信電話番号の発呼信号を検知したことに応じ、請求項３から請求項６のうちいずれか１項に記載の情報配信した後に、通話することができることを特徴とする広告宣伝とアンケートを連動した音声通話方法である。
【００１４】
請求項８に記載の発明は、情報処理装置が、発信電話番号の発呼信号による電話通話後に、前記発信電話番号の発呼信号を検知したことに応じ、請求項３から請求項６のうちいずれか１項に記載の情報配信することができることを特徴とする広告宣伝とアンケートを連動した音声通話方法である。
【００１５】
請求項９に記載の発明は、情報処理装置が、請求項３から請求項８のうちいずれか１項に記載の前記認知機能ステップに、携帯端末利用者による通話中の音声に含まれる単語の通話キーワードと設定登録されたキーワードが対応したことを検出するステップを含むことを特徴とする情報配信方法である。
【００１６】
請求項１０に記載の発明は、情報処理装置が、請求項３から請求項９のうちいずれか１項に記載の情報発信するステップの前に、利用者がＧＰＳ位置情報に該当するか否かのＧＰＳ位置情報ステップを含むことを特徴とする情報配信方法である。
【発明の効果】
【００１７】
本発明は、ＧＰＳ機能付き携帯端末を利用して正確な位置情報を把握し、その位置に所在する利用者に限定して広告を配信することができる。
【００１８】
予め登録された個人属性情報に該当する広告権利者及びアンケート権利者に限定して、広告及びアンケートを配信することができるので、限定する者に対し権利を与えて選択的注意を喚起させる認知機能とポイント取得可能な先行者利益の意識付けにより、広告及びアンケートに対する関心度を高めることができる。
【００１９】
利用者が通話のために発信を行う際に、広告宣伝の視聴やアンケート回答をした結果、換金性のあるポイントが付与されるので、通信（通話）料金の割引に寄与することができる。また、通信サービス提供者にとっては、広告主からの固定収入が得られるメリットがある。
【００２０】
携帯端末利用者の個人属性情報と位置情報に該当し、かつ限定された利用者だけに配信する広告視聴履歴とアンケート結果から得られるデータは、事業に役立つ知見を導出するためのデータであり、利用者の心理や行動を深く把握する上で貴重なマーケティングデータとして広告主に提供することができる。
ＩＣＴ（Ｉｎｆｏｒｍａｔｉｏｎ  ａｎｄ  Ｃｏｍｍｕｎｉｃａｔｉｏｎ  Ｔｅｃｈｎｏｌｏｇｙ）の進歩により、多量性、多種性、リアルタイム性のデータが生成・収集・蓄積等されることが可能になってきており、消費者の好む商品形態や購買意欲を察知して近未来の予測等を通じ、消費者のニーズに即したサービスの提供、広告主の業務運営効率化の改善を図ることが可能となる点に本発明の活用意義がある。
【図面の簡単な説明】
【００２１】
【図１】本発明の実施形態に係る音声通話システムの構成図である。
【図２】本発明の実施形態に係る音声通話システムのクラウドサーバーの構成図である。
【図３】画面表示の第１実施形態例に係る携帯端末に表示されるダイヤルアプリ画面を示す説明図である。
【図４】画面表示の第２実施形態例に係る携帯端末に表示されるメールアプリ画面を示す説明図である。
【図５】クラウドサーバーに登録することができる個人属性情報台帳のフォーマットである。
【図６】クラウドサーバーに登録することができる広告コンテンツ台帳のフォーマットである。
【図７】クラウドサーバーに登録することができるアンケート台帳のフォーマットである。
【図８】広告権利とアンケート権利を付与する方法による演算処理の流れを示す図である。
【図９】キーワード検出のステップを含めた広告権利とアンケート権利を付与する方法による演算処理の流れを示す図である。
【図１０】広告配信手段とアンケート配信手段の処理の流れを示す図である。
【図１１】ダイヤル発信に伴う広告配信手段とアンケート配信手段の処理の流れを示す図である。
【図１２】ダイヤル発信通話後の広告配信手段とアンケート配信手段の処理の流れを示す図である。
【図１３】広告及びアンケートを配信する際の制御シーケンスを示す図である。
【図１４】ダイヤル発信に伴い広告及びアンケートを配信する際の制御シーケンスを示す図である。
【図１５】ダイヤル発信通話後の広告及びアンケートを配信する際の制御シーケンスを示す図である。
【発明を実施するための形態】
【００２２】
以下、本発明を実施するための形態について図を参照しながら説明する。
【００２３】
図１は、本発明の実施形態に係る音声通話システムの構成を示す図である。図１に示すように、広告宣伝とアンケートを連動した音声通話システムを実施する構成は、携帯端末１と、ＧＰＳ衛星２と、無線基地局３と、電話交換機４と、クラウドサーバー５とで構成され、携帯端末（受信者）６と固定電話（受信者）７は、電話網により携帯端末１と音声通話回線で接続され、広告主９は、ネットワーク８を介してクラウドサーバー５とインターネット回線で接続されている。
【００２４】
携帯端末１は、携帯端末に装備されている位置情報のアプリケーションを利用し、ＧＰＳ衛星２で計測された位置情報を取得することができる。携帯端末１は、スマートフォン等の多機能携帯電話であり、コミュニケーション機能（電話、メール等）、コンテンツ閲覧機能（ウェブ・ニュース閲覧等）、位置情報を取得するＧＰＳ機能等を備えている。
【００２５】
無線基地局３と電話交換機４は、携帯端末１とクラウドサーバー５の送受信を中継する通信装置である。したがって、携帯端末１はＧＰＳ衛星２で計測された位置情報をクラウドサーバー５に送信することができる。
【００２６】
図２は、本発明の実施形態に係る音声通話システムのクラウドサーバー５を構成する図を示している。クラウドサーバー５は、広告とアンケートを連動させて配信する情報処理装置であって、広告宣伝とアンケートを連動した音声通話システムとして機能させる複数のデータベースで構成され、利用者の個人属性情報と通話中やメール中に含まれる通話キーワードの単語を格納する顧客データベースと、利用者に配信する広告コンテンツを管理する広告データベースと、利用者に対して質問するアンケートを管理し、その回答を格納するアンケートデータベースを有するものである。
【００２７】
クラウドサーバー５の広告データベースに格納されている広告コンテンツは、音声、映像や画像、音声付き映像や画像である。
クラウドサーバー５のアンケートデータベースに格納されているアンケートは、広告に関連した商品や役務に関するアンケートである。
さらに、クラウドサーバー５は、機能を発揮させる手段として、個人属性情報取得手段１０、広告配信手段１１、広告視聴ポイント積算手段１２、アンケート配信手段１３、アンケート回答ポイント積算手段１４を有する。
【００２８】
個人属性情報取得手段１０は、携帯端末１から受信した個人属性情報と通話キーワードを利用者の情報としてクラウドサーバー５に登録する手段である。また、位置情報履歴、広告視聴履歴、アンケート回答結果から利用者の趣味趣向を把握するデータも取得し更新する。
個人属性情報の具体例として、性別、年齢（１０代、２０代、３０代・・・、６０代、など）、活動エリア（関東、関西、海外、など）、趣味（スポーツ、読書、旅行、ショッピング、など）、職業（学生、社会人、主婦、など）、居住エリア（都道府県、市町村、など）等である。利用者は任意に情報を登録、変更、削除等の更新をすることができる。
【００２９】
また、携帯端末利用者による通話中の音声に含まれる単語を音声認識によりテキスト化されたものや、メール中に含まれる単語を切り出してテキスト化されたキーワードを格納できるようになっている。テキスト化されるキーワードの単語は、物品やサービスの名称や行動意図（欲しい、見たい、行きたいなど）を表す単語である。
【００３０】
広告配信手段１１は、後に述べる広告権利を付与する手段と広告主９から提供される広告を利用者に配信する手段である。クラウドサーバー５に登録されたユーザー属性情報とキーワードに基づき、広告権利を有する者に限定して広告を配信する。
【００３１】
広告視聴ポイント積算手段１２は、携帯端末１の利用者が広告を視聴したことにより取得した広告視聴のポイントを積算してクラウドサーバー５に登録する手段である。広告を視聴する毎に広告視聴ポイントが積算され、貯めたポイントは利用者に還元される。
【００３２】
アンケート配信手段１３は、後に述べるアンケート権利を付与する手段と広告主９から提供されるアンケートを利用者に配信する手段である。クラウドサーバー５に登録された調査対象者属性情報とキーワードに基づき、アンケート権利を有する者に限定してアンケートを配信する。
【００３３】
アンケート回答ポイント積算手段１４は、携帯端末１の利用者がアンケート回答したことにより取得したアンケート回答のポイントを積算してクラウドサーバー５に登録する手段である。アンケート回答する毎にアンケート回答ポイントが積算され、貯めたポイントは利用者に還元される。
【００３４】
（画面表示の第１実施形態）
図３は、本発明の実施形態例に係る携帯端末１に表示されるダイヤルアプリ画面を示す説明図である。
【００３５】
図３（Ａ）は、携帯端末１の利用時に表示されるダイヤルアプリロゴ１５の実施例であり、本発明の機能を果たすために必要な表示を行う画面である。左下数字の３は、後に述べる広告権利の件数の例を表示し、右下数字の１は後に述べるアンケート権利の件数の例を表示している。
【００３６】
図３（Ｂ）は、機能を発揮できる状態にするための操作の用に供される画面であり、ダイヤルアプリロゴ１５をタップすると画面が表れる。
画面中央部から下部の１から９までの数字をタップすることによりダイヤル発信ができ、広告権利ロゴ１６をタップすることにより広告の視聴ができ、アンケート権利ロゴ１７をタップすることによりアンケートの回答ができ、会員属性情報ロゴ１８をタップすると個人属性情報と通話キーワードを入力する別な画面が表れ利用者の個人属性情報等を入力することができる。広告権利ロゴ１６の左下数字の３は、後に述べる広告権利の件数の例を表示し、アンケート権利ロゴ１７右下数字の１は後に述べるアンケート権利の件数の例を表示している。
【００３７】
図３（Ｃ）は、広告主９から配信された広告コンテンツの画像例を表し、図３（Ｄ）は、アンケート画像例を表している。
【００３８】
（画面表示の第２実施形態）
図４は、本発明の実施形態例に係る携帯端末１に表示されるメールアプリ画面を示す説明図である。
【００３９】
図４（Ａ）は、携帯端末１の利用時に表示されるメールアプリロゴ１５ｂの実施例であり、本発明の機能を果たすために必要な表示を行う画面である。左下数字の３は、後に述べる広告権利の件数の例を表示し、右下数字の１は後に述べるアンケート権利の件数の例を表示している。
【００４０】
図４（Ｂ）は、機能を発揮できる状態にするための操作の用に供される画面であり、メールアプリロゴ１５ｂをタップすると画面が表れる。
画面上部のメールボックス（ＭａｉｌＡ、又はＭａｉｌＢ）をタップすることによりメールの閲覧及び送受信の操作が可能になる。図３（Ｂ）と同様に広告権利ロゴ１６をタップすることにより広告の視聴ができ、アンケート権利ロゴ１７をタップすることによりアンケートの回答ができ、会員属性情報ロゴ１８をタップすると個人属性情報と通話キーワードを入力する別な画面が表れ利用者の個人属性情報等を入力することができる。また、図３（Ｂ）と同様に広告権利ロゴ１６の左下数字の３は、後に述べる広告権利の件数の例を表示し、アンケート権利ロゴ１７右下数字の１は後に述べるアンケート権利の件数の例を表示している。広告コンテンツ画像やアンケート画像は、図３（Ｃ）や図３（Ｄ）と同一である。
【００４１】
図５は、クラウドサーバー５に登録することができる個人属性情報台帳２０１のフォーマットである。携帯端末１からクラウドサーバー５にアクセスし、個人属性情報と通話キーワードをクラウドサーバー５に登録することができる。
個人属性情報台帳２０１には、会員の識別情報である会員ＩＤと個人属性情報が含まれる。個人属性情報に記載されているａ、ｂ、ｃ、ｄ、ｅ、ｆ、ｇ、ｈ、ｉ、ｊ、ｋは、具体例として、性別、年齢（１０代、２０代、３０代・・・、６０代、など）、活動エリア（関東、関西、海外、など）、趣味（スポーツ、読書、旅行、ショッピング、など）、職業（学生、社会人、主婦、など）、居住エリア（都道府県、市町村、など）等を、説明の為に模式的に表している。
【００４２】
さらに、個人属性情報台帳２０１には、携帯端末利用者による通話中の音声に含まれる単語を音声認識によりテキスト化されたものや、メール中に含まれる単語を切り出してテキスト化された通話キーワードが含まれる。通話キーワードに記載されているＡ、Ｆ、Ｈ、Ｘ、Ｙ，Ｚは、具体例として、物品やサービスの名称や行動意図（欲しい、見たい、行きたいなど）を表す単語等を、説明の為に模式的に表している。通話キーワードは、携帯端末利用者、又は通信サービス提供者が任意に設定登録することができる。
【００４３】
図６は、クラウドサーバー５に登録することができる広告コンテンツ台帳２０２のフォーマットである。広告主９からネットワーク８を介してクラウドサーバー５にアクセスし、広告コンテンツ等をクラウドサーバー５に登録することができる。
広告コンテンツ台帳２０２には、広告主、広告の識別情報である広告ＩＤ、音声、映像や画像、音声付き映像や画像を含む広告コンテンツ、広告視聴可能者数、ユーザー属性情報、キーワード、ＧＰＳ位置情報、アンケートとの連動性を持たせるアンケートの識別情報であるアンケートＩＤが含まれる。
【００４４】
ユーザー属性情報は、広告主９が広告の対象となる顧客ターゲットを絞るためであり、特定のジャンルに興味関心を持つ顧客に絞って広告を見せることができるため、広告効果を高めることができ、無駄な広告の露出を控えることにもつながる。
ユーザー属性情報で設定される項目は、個人属性情報台帳２０１に記載されているａ、ｂ、ｃ、ｄ、ｅ、ｆ、ｇ、ｈ、ｉ、ｊ、ｋと同一である。キーワードで設定される項目は個人属性情報台帳２０１に記載されているＡ、Ｆ、Ｈ、Ｘ、Ｙ，Ｚと同一である。ＧＰＳ位置情報に記載されている指定地域は、ＧＰＳ衛星２で計測される位置情報を指定したい場合に設定して登録できるものである。
【００４５】
広告権利とは、広告が配信される権利であり、ユーザー属性情報に該当する者に限定し与えられるものである。広告視聴可能者数は、広告主９が利用者に対し限定して配信したい広告視聴数を示し、設定された数値を越えて広告は配信されない。
すなわち、該当する者に限定して広告を視聴できる権利を与えて選択的注意を喚起させる認知機能と広告視聴可能な先行者利益の意識付けにより、広告に対する関心度を高めるものである。
【００４６】
図７は、クラウドサーバー５に登録することができるアンケート台帳２０３のフォーマットである。広告主９からネットワーク８を介してクラウドサーバー５にアクセスし、アンケート等をクラウドサーバー５に登録することができる。
アンケート台帳２０３には、広告主、アンケートの識別情報であるアンケートＩＤ、アンケート内容と、アンケート回答可能者数、調査対象者属性情報、キーワード、ＧＰＳ位置情報、広告との連動性を持たせる広告の識別情報である広告ＩＤが含まれる。
【００４７】
調査対象者属性情報は、広告主９がアンケートの調査対象者を絞るためであり、特定のジャンルに興味関心を持つ調査対象者に絞ってアンケートを依頼することができるため、効果的なアンケートを取る事ができ、無駄なアンケート調査を少なくすることにもつながる。
調査対象者属性情報で設定される項目は、個人属性情報台帳２０１に記載されているａ、ｂ、ｃ、ｄ、ｅ、ｆ、ｇ、ｈ、ｉ、ｊ、ｋと同一である。キーワードで設定される項目は個人属性情報台帳２０１に記載されているＡ、Ｆ、Ｈ、Ｘ、Ｙ，Ｚと同一である。ＧＰＳ位置情報に記載されている指定地域は、ＧＰＳ衛星２で計測される位置情報を指定したい場合に設定して登録できるものである。
【００４８】
アンケート権利とは、アンケートが配信される権利であり、調査対象者属性情報に該当する者に限定し与えられるものである。アンケート回答可能者数は、広告主が限定して配信したいアンケート数を示し、設定された数値を越えてアンケートは配信されない。
すなわち、該当する者に限定してアンケート回答できる権利を与えて選択的注意を喚起させる認知機能とアンケート回答可能な先行者利益の意識付けにより、効果的なアンケート調査を実施するためである。
【００４９】
図８（Ａ）は、広告配信手段に含まれる広告権利を付与する方法による演算処理の流れを示す図である。図８（Ａ）に示すように、作業を開始すると（Ｓ１）、クラウドサーバー５は、図６の広告コンテンツ台帳２０２のユーザー属性情報と図５の個人属性情報台帳２０１の個人属性情報が該当するか否かを照合する（Ｓ２）。
ユーザー属性情報が該当した場合（Ｓ３Ｙｅｓ）、携帯端末１の会員に広告権利＋１を付与する（Ｓ４）。この場合、クラウドサーバー５から携帯端末１に広告権利＋１の通知が送信され、図３（Ａ）の画面においてダイヤルアプリロゴ１５の左下に数値の１が加算されて表示される。ユーザー属性情報が該当しない場合（Ｓ３ＮＯ）、ステップＳ２に戻る。
広告主９か  ら配信された広告の配信数が、図６の広告コンテンツ台帳２０２に記載されている広告視聴可能者数を越えていない場合（Ｓ５ＮＯ）、ステップＳ５に戻る。
広告主９から配信された広告の配信数が、図６の広告コンテンツ台帳２０２に記載されている広告視聴可能者数を越えた場合（Ｓ５Ｙｅｓ）、一度与えられた広告権利に対し広告権利−１を付与し（Ｓ６）、作業が終了する（Ｓ７）。
この場合、クラウドサーバー５から携帯端末１に広告権利−１の通知が送信され、図３（Ａ）の画面においてダイヤルアプリロゴ１５の左下に数値の１が減算されて表示される。なお、数値が０の場合、広告は視聴することができない。なお、図４（Ａ）の画面においても同一の動作を行っているので重複説明は省略する。
【００５０】
広告権利は、ユーザー属性情報が該当する全会員に付与され、広告を視聴して広告視聴ポイントを得る機会が与えられる。ただし、広告視聴可能者数を越えた場合は、広告は配信されず、広告視聴ポイントを得る機会は与えられない。
例えば、図５の個人属性情報台帳２０１と図６の広告コンテンツ台帳２０２を参照すると、会員Ｍ１の個人属性情報のａ、ｂ、ｃが、広告ＩＤＡ０００１と広告ＩＤＡ０００２のユーザー属性情報のａ、ｂ、ｃに該当するので、広告権利の数値は２となる。
会員Ｍ２の個人属性情報のｅが、広告ＩＤＡ０００２のユーザー属性情報のｅに該当するので、広告権利の数値は１となる。
会員Ｍ３の個人属性情報のｇが、広告ＩＤＡ０００３のユーザー属性情報のｇに該当するので、広告権利の数値は１となる。
【００５１】
図８（Ｂ）は、アンケート配信手段に含まれるアンケート権利を付与する方法による演算処理の流れを示す図である。図８（Ｂ）に示すように、作業を開始すると（Ｓ２１）、クラウドサーバー５は、図７のアンケート台帳２０３の調査対象者属性情報と図５の個人属性情報台帳２０１の個人属性情報が該当するか否かを照合する（Ｓ２２）。
調査対象者属性情報が該当した場合（Ｓ２３Ｙｅｓ）、携帯端末１の会員にアンケート権利＋１を付与する（Ｓ２４）。この場合、クラウドサーバー５から携帯端末１にアンケート権利＋１の通知が送信され、図３（Ａ）の画面においてダイヤルアプリロゴ１５の右下に数値の１が加算されて表示される。調査対象者属性情報が該当しない場合（Ｓ２３ＮＯ）、ステップＳ２２に戻る。
広告主９から配信されたアンケートの配信数が、図７のアンケート台帳２０３に記載されているアンケート回答可能者数を越えていない場合（Ｓ２５ＮＯ）、ステップＳ２５に戻る。
広告主９から配信されたアンケートの配信数が、図７のアンケート台帳２０３に記載されているアンケート回答可能者数を越えた場合（Ｓ２５Ｙｅｓ）、一度与えられたアンケート権利に対しアンケート権利−１を付与し（Ｓ２６）、作業が終了する（Ｓ２７）。
この場合、クラウドサーバー５から携帯端末１にアンケート権利−１の通知が送信され、図３（Ａ）の画面においてダイヤルアプリロゴ１５の右下に数値の１が減算されて表示される。なお、数値が０の場合、アンケート回答をすることができない。なお、図４（Ａ）の画面においても同一の動作を行っているので重複説明は省略する。
【００５２】
アンケート権利は、調査対象者属性情報が該当する全会員に付与され、アンケートに回答しアンケート回答ポイントを得る機会が与えられる。ただし、アンケート回答可能者数を越えた場合は、アンケートは配信されず、アンケート回答ポイントを得る機会は与えられない。
例えば、図５の個人属性情報台帳２０１と図７のアンケート台帳２０３を参照にすると、会員Ｍ１の個人属性情報のａ、ｂ、ｃが、アンケートＩＤＥ０００１とアンケートＩＤＥ０００２の調査対象者属性情報のａ、ｂ、ｃに該当するので、アンケート権利の数値は２となる。
会員Ｍ２の個人属性情報のｄが、アンケートＩＤＥ０１１１の調査対象者属性情報のｄに該当するので、アンケート権利の数値は１となる。
会員Ｍ３の個人属性情報のｇは、アンケートＩＤＥ０１１１の調査対象者属性情報のｇに該当するので、アンケート権利の数値は１となる。
【００５３】
図９（Ａ）は、キーワード検出のステップを含めた広告配信手段に含まれる広告権利を付与する方法による演算処理の流れを示す他の実施例である。図９（Ａ）に示すように、作業を開始すると（Ｓ１）、クラウドサーバー５は、図６の広告コンテンツ台帳２０２のユーザー属性情報と図５の個人属性情報台帳２０１の個人属性情報が該当するか否かと、図６の広告コンテンツ台帳２０２のキーワードと図５の個人属性情報台帳２０１の通話キーワードが該当するか否かを照合する（Ｓ２Ｂ）。キーワードに対応する単語を検出する際に検出回数が閾値以上となった場合、通話キーワードとキーワードが該当するものとしている。
ユーザー属性情報とキーワードが該当した場合（Ｓ３ＢＹｅｓ）、携帯端末１の会員に広告権利＋１を付与する（Ｓ４）。ユーザー属性情報が該当しキーワードが該当しない場合や、ユーザー属性情報が該当せずキーワードのみが該当した場合にも広告権利＋１を付与（Ｓ４）しても良い。
以降の動作は、段落００４９と同一であるため、同一符号を付して重複説明は省略する。
【００５４】
広告権利は、ユーザー属性情報とキーワードが該当する全会員に付与され、広告を視聴して広告視聴ポイントを得る機会が与えられる。ただし、広告視聴可能者数を越えた場合は、広告は配信されず、広告視聴ポイントを得る機会は与えられない。
例えば、図５の個人属性情報台帳２０１と図６の広告コンテンツ台帳２０２を参照すると、会員Ｍ１の個人属性情報のａ、ｂ、ｃと通話キーワードのＡ、Ｈ、Ｘが、広告ＩＤＡ０００１と広告ＩＤＡ０００２と広告ＩＤＡ０００３のユーザー属性情報のａ、ｂ、ｃとキーワードのＡに該当するので、広告権利の数値は３となる。
【００５５】
図９（Ｂ）は、キーワード検出のステップを含めたアンケート配信手段に含まれるアンケート権利を付与する方法による演算処理の流れを示す他の実施例である。図８（Ｂ）に示すように、作業を開始すると（Ｓ２１）、クラウドサーバー５は、図７のアンケート台帳２０３の調査対象者属性情報と図５の個人属性情報台帳２０１の個人属性情報が該当するか否かと、図７のアンケート台帳２０３のキーワードと図５の個人属性情報台帳２０１の通話キーワードが該当するか否かを照合する（Ｓ２２Ｂ）。キーワードに対応する単語を検出する際に検出回数が閾値以上となった場合、通話キーワードとキーワードが該当するものとしている。
調査対象者属性情報とキーワードが該当した場合（Ｓ２３ＢＹｅｓ）、携帯端末１の会員にアンケート権利＋１を付与する（Ｓ２４）。調査対象者属性情報が該当しキーワードが該当しない場合や、調査対象者属性情報が該当せずキーワードのみが該当した場合にもアンケート権利＋１を付与（Ｓ２４）しても良い。
以降の動作は、段落００５１と同一であるため、同一符号を付して重複説明は省略する。
【００５６】
アンケート権利は、調査対象者属性情報が該当する全会員に付与され、アンケートに回答しアンケート回答ポイントを得る機会が与えられる。ただし、アンケート回答可能者数を越えた場合は、アンケートは配信されず、アンケート回答ポイントを得る機会は与えられない。
例えば、図５の個人属性情報台帳２０１と図７のアンケート台帳２０３を参照にすると、会員Ｍ１の個人属性情報のａ、ｂ、ｃと通話キーワードのＡ、Ｈ、Ｘが、アンケートＩＤＥ０００１とアンケートＩＤＥ０００２とアンケートＩＤＥ０１１１の調査対象者属性情報のａ、ｂ、ｃと、キーワードのＡ、Ｈに該当するので、アンケート権利の数値は３となる。
【００５７】
図１０（Ａ）は、広告配信手段の処理の流れを示す図である。
【００５８】
図１０（Ａ）に示すように、作業を開始すると（Ｓ３１）、利用者は電話機能のアプリケーションであるダイヤルアプリを起動させる（Ｓ３２）。図３（Ｂ）の画面において、広告権利ロゴ１６をタップし（Ｓ３３）、会員はクライアントサーバー５にアクセスする（Ｓ３４）。なお、図３（Ａ）のダイヤルアプリロゴ１５に替え図４（Ａ）のメールアプリロゴ１５ｂを起動させても同一な動作が行われるので重複説明は省略する。
【００５９】
会員がクライアントサーバー５にアクセスした後（Ｓ３４）、携帯端末１のＧＰＳ衛星２で計測される位置情報が、図６の広告コンテンツ台帳２０２に記載されている広告権利のＧＰＳ位置情報の地域の範囲内で、ＧＰＳ位置情報が該当する場合（Ｓ３５Ｙｅｓ）、広告画像が配信され広告を視聴することができる（Ｓ３６）。
広告視聴が完了した後、利用者に広告視聴ポイントが積算され（Ｓ３７）、会員に広告権利−１が付与され（Ｓ３８）、ステップＳ３９に進む。この場合、図３（Ａ）の画面においてダイヤルアプリロゴ１５の左下に数値の１が減算されて表示される。
【００６０】
通信サービス提供者が、位置情報（移動体端末を所持する者の位置を示す情報であって、発信者情報でないものをいう。）について、利用者の同意を得る必要がある場合は、利用者の位置情報通知許諾のステップを挿入しても良い。また、位置情報をＧＰＳ位置情報として取得しない場合は、ステップＳ３５は省略しても良い。
【００６１】
携帯端末１のＧＰＳ衛星２で計測される位置情報が、図６の広告コンテンツ台帳２０２に記載されている広告権利のＧＰＳ位置情報の地域の範囲外で、ＧＰＳ位置情報が該当しない場合（Ｓ３５ＮＯ）、作業が終了する（Ｓ４４）。
【００６２】
図６の広告コンテンツ台帳２０２において、アンケート連動項目でアンケートＩＤの設定がされている場合は、図７のアンケート台帳２０３に対応するアンケートが表示される（Ｓ４０）。次に、アンケート回答をし（Ｓ４１）、利用者にアンケート回答ポイントが積算され（Ｓ４２）、会員にアンケート権利−１が付与され（Ｓ４３）、作業が終了する（Ｓ４４）。この場合、図３（Ａ）の画面においてダイヤルアプリロゴ１５の右下に数値の１が減算されて表示される。アンケート連動しない場合（Ｓ３９ＮＯ）、作業は終了する（Ｓ４４）。
【００６３】
図１０（Ｂ）は、アンケート配信手段の処理の流れを示す図である。
【００６４】
図１０（Ｂ）に示すように、作業を開始すると（Ｓ５１）、利用者は電話機能のアプリケーションであるダイヤルアプリを起動させる（Ｓ５２）。図３（Ｂ）の画面において、アンケート権利ロゴ１７をタップし（Ｓ５３）、会員はクライアントサーバー５にアクセスする（Ｓ５４）。なお、図３（Ａ）のダイヤルアプリロゴ１５に替え図４（Ａ）のメールアプリロゴ１５ｂを起動させても同一な動作が行われるので重複説明は省略する。
【００６５】
会員がクライアントサーバー５にアクセスした後（Ｓ５４）、携帯端末１のＧＰＳ衛星２で計測される位置情報が、図７のアンケート台帳２０３に記載されているアンケート権利のＧＰＳ位置情報の地域の範囲内で、ＧＰＳ位置情報が該当する場合（Ｓ５５Ｙｅｓ）、アンケートが表示される（Ｓ５６）。
アンケート回答した後（Ｓ５７）、利用者にアンケート回答ポイントが積算され（Ｓ５８）、会員にアンケート権利−１が付与され（Ｓ５９）、ステップＳ６０に進む。この場合、図３（Ａ）の画面においてダイヤルアプリロゴ１５の右下に数値の１が減算されて表示される。
【００６６】
通信サービス提供者が、位置情報（移動体端末を所持する者の位置を示す情報であって、発信者情報でないものをいう。）について、利用者の同意を得る必要がある場合は、利用者の位置情報通知許諾のステップを挿入しても良い。また、位置情報をＧＰＳ位置情報として取得しない場合は、ステップＳ５５は省略しても良い。
【００６７】
携帯端末１のＧＰＳ衛星２で計測される位置情報が、図７のアンケート台帳２０３に記載されている広告権利のＧＰＳ位置情報の地域の範囲外で、ＧＰＳ位置情報が該当しない場合（Ｓ５５ＮＯ）、作業が終了する（Ｓ６４）。
【００６８】
図７のアンケート台帳２０３において、広告連動項目で広告ＩＤの設定がされている場合は、図６の広告コンテンツ台帳２０２に対応する広告が表示される（Ｓ６１）。次に、広告の視聴完了後、利用者に広告視聴ポイントが積算され（Ｓ６２）、会員にアンケート権利−１が付与され（Ｓ６３）、作業が終了する（Ｓ６４）。この場合、図３（Ａ）の画面においてダイヤルアプリロゴ１５の左下に数値の１が減算されて表示される。広告連動しない場合（Ｓ６０ＮＯ）、作業は終了する（Ｓ６４）。
【００６９】
図１１（Ａ）は、ダイヤル発信に伴い広告配信手段とアンケート配信手段を連続して処理を行う流れを示す図である。通話の前に広告を視聴し、アンケート回答する場合を表している。
【００７０】
図１１（Ａ）に示すように、作業を開始すると（Ｓ７１）、利用者は電話機能のアプリケーションであるダイヤルアプリを起動させる（Ｓ７２）。
図３（Ｂ）の画面中央部から下部の１から９までの数字をタップし、ダイヤル発信の操作を行うと（Ｓ７３）、会員がクライアントサーバー５にアクセスすることができる（Ｓ７４）。
会員がクライアントサーバー５にアクセスした後（Ｓ７４）、携帯端末１のＧＰＳ衛星２で計測される位置情報が、図６の広告コンテンツ台帳２０２に記載されている広告権利のＧＰＳ位置情報の地域の範囲内で、ＧＰＳ位置情報が該当する場合（Ｓ７５Ｙｅｓ）、広告を視聴することができる（Ｓ７６）。
広告視聴が完了した後、利用者に広告視聴ポイントが積算され（Ｓ７７）、会員に広告権利−１が付与され（Ｓ７８）、ステップＳ７９に進む。この場合、図３（Ａ）の画面においてダイヤルアプリロゴ１５の左下に数値の１が減算されて表示される。
【００７１】
図６の広告コンテンツ台帳２０２において、アンケート連動項目でアンケートＩＤの設定がされている場合は、図７のアンケート台帳２０３に対応するアンケートが表示される（Ｓ８０）。次に、アンケート回答をし（Ｓ８１）、利用者にアンケート回答ポイントが積算され（Ｓ８２）、会員にアンケート権利−１が付与され（Ｓ８３）、ステップＳ８４に進む。この場合、図３（Ａ）の画面においてダイヤルアプリロゴ１５の右下に数値の１が減算されて表示される。アンケート連動しない場合（Ｓ７９ＮＯ）、ステップＳ８４に進む。
【００７２】
通信サービス提供者が、位置情報（移動体端末を所持する者の位置を示す情報であって、発信者情報でないものをいう。）について、利用者の同意を得る必要がある場合は、利用者の位置情報通知許諾のステップを挿入しても良い。また、位置情報をＧＰＳ位置情報として取得しない場合は、ステップＳ７５は省略しても良い。
【００７３】
携帯端末１のＧＰＳ衛星２で計測される位置情報が、図６の広告コンテンツ台帳２０２に記載されている広告権利のＧＰＳ位置情報の地域の範囲外で、ＧＰＳ位置情報が該当しない場合（Ｓ７５ＮＯ）、ステップＳ８４に進む。
【００７４】
次に、先にダイヤルした番号に電話回線を接続し（Ｓ８４）、通話を行い（Ｓ８５）、通話が終了すれば電話回線の通話を切断（Ｓ８６）し、作業が終了する（Ｓ８７）。
【００７５】
図１１（Ｂ）は、ダイヤル発信に伴いアンケート配信手段と広告配信手段を連続して処理を行う流れを示す図である。通話の前にアンケート回答し、広告を視聴する場合を表している。
【００７６】
図１１（Ｂ）に示すように、作業を開始すると（Ｓ９１）、利用者は電話機能のアプリケーションであるダイヤルアプリを起動させる（Ｓ９２）。
図３（Ｂ）の画面中央部から下部の１から９までの数字をタップし、ダイヤル発信の操作を行うと（Ｓ９３）、会員がクライアントサーバー５にアクセスすることができる（Ｓ９４）。
会員がクライアントサーバー５にアクセスした後（Ｓ９４）、携帯端末１のＧＰＳ衛星２で計測される位置情報が、図７のアンケート台帳２０３に記載されている広告権利のＧＰＳ位置情報の地域の範囲内で、ＧＰＳ位置情報が該当する場合（Ｓ９５Ｙｅｓ）、アンケートが表示され（S９６）、アンケート回答をし（Ｓ９７）、利用者にアンケート回答ポイントが積算され（Ｓ９８）、会員にアンケート権利−１が付与され（Ｓ９９）、ステップＳ１００に進む。この場合、図３（Ａ）の画面においてダイヤルアプリロゴ１５の右下に数値の１が減算されて表示される。
【００７７】
図７のアンケート台帳２０３において、広告連動項目で広告ＩＤの設定がされている場合は、図６の広告コンテンツ台帳２０２に対応する広告が表示される（Ｓ１０１）。次に、利用者に広告視聴ポイントが積算され（Ｓ１０２）、会員に広告権利−１が付与され（Ｓ１０３）、ステップＳ１０４に進む。この場合、図３（Ａ）の画面においてダイヤルアプリロゴ１５の左下に数値の１が減算されて表示される。広告連動しない場合（Ｓ１００ＮＯ）、ステップＳ１０４に進む。
【００７８】
通信サービス提供者が、位置情報（移動体端末を所持する者の位置を示す情報であって、発信者情報でないものをいう。）について、利用者の同意を得る必要がある場合は、利用者の位置情報通知許諾のステップを挿入しても良い。また、位置情報をＧＰＳ位置情報として取得しない場合は、ステップＳ９５は省略しても良い。
【００７９】
携帯端末１のＧＰＳ衛星２で計測される位置情報が、図７のアンケート台帳２０３に記載されているアンケート権利のＧＰＳ位置情報の地域の範囲外で、ＧＰＳ位置情報が該当しない場合（Ｓ９５ＮＯ）、ステップＳ１０４に進む。
【００８０】
次に、先にダイヤルした番号に電話回線を接続し（Ｓ１０４）、通話を行い（Ｓ１０５）、通話が終了すれば電話回線の通話を切断（Ｓ１０６）し、作業が終了する（Ｓ１０７）。
【００８１】
図１２（Ａ）は、ダイヤル発信通話後の広告配信手段とアンケート配信手段の処理の流れを示す図である。通話後に広告を視聴、アンケート回答する場合を表している。
【００８２】
図１２（Ａ）に示すように、作業を開始すると（Ｓ１１１）、利用者は電話機能のアプリケーションであるダイヤルアプリを起動させる（Ｓ１１２）。
図３（Ｂ）の画面中央部から下部の１から９までの数字をタップし、ダイヤル発信の操作を行い（Ｓ１１３）、ダイヤルした番号に電話回線を接続し（Ｓ１１４）、通話を行い（Ｓ１１５）、通話が終了すれば電話回線の通話を切断する（Ｓ１１６）。
【００８３】
会員がダイヤル発信操作し通話切断後に、会員がクライアントサーバー５に自動的にアクセスすることができる（Ｓ１１７）。クライアントサーバー５にアクセスした後（Ｓ１１７）、携帯端末１のＧＰＳ衛星２で計測される位置情報が、図６の広告コンテンツ台帳２０２に記載されている広告権利のＧＰＳ位置情報の地域の範囲内で、ＧＰＳ位置情報が該当する場合（Ｓ１１８Ｙｅｓ）、広告を表示することができる（Ｓ１１９）。
広告視聴が完了した後、利用者に広告視聴ポイントが積算され（Ｓ１２０）、会員に広告権利−１が付与され（Ｓ１２１）、ステップＳ１２２に進む。この場合、図３（Ａ）の画面においてダイヤルアプリロゴ１５の左下に数値の１が減算されて表示される。
【００８４】
図６の広告コンテンツ台帳２０２において、アンケート連動項目でアンケートＩＤの設定がされている場合は、図７のアンケート台帳２０３に対応するアンケートが表示される（Ｓ１２３）。次に、アンケート回答をし（Ｓ１２４）、利用者にアンケート回答ポイントが積算され（Ｓ１２５）、会員にアンケート権利−１が付与され（Ｓ１２６）、作業は完了する（Ｓ１２７）。この場合、図３（Ａ）の画面においてダイヤルアプリロゴ１５の右下に数値の１が減算されて表示される。アンケート連動しない場合（Ｓ１２２ＮＯ）、作業は完了する（Ｓ１２７）。
【００８５】
通信サービス提供者が、位置情報（移動体端末を所持する者の位置を示す情報であって、発信者情報でないものをいう。）について、利用者の同意を得る必要がある場合は、利用者の位置情報通知許諾のステップを挿入しても良い。また、位置情報をＧＰＳ位置情報として取得しない場合は、ステップＳ１１８は省略しても良い。
【００８６】
携帯端末１のＧＰＳ衛星２で計測される位置情報が、図６の広告コンテンツ台帳２０２に記載されている広告権利のＧＰＳ位置情報の地域の範囲外で、ＧＰＳ位置情報が該当しない場合（Ｓ１１８ＮＯ）、作業は終了する（Ｓ１２７）。
【００８７】
図１２（Ｂ）は、ダイヤル発信通話後のアンケート配信手段と広告配信手段の処理の流れを示す図である。通話後にアンケート回答、広告を視聴する場合を表している。
【００８８】
図１２（Ｂ）に示すように、作業を開始すると（Ｓ１３１）、利用者は電話機能のアプリケーションであるダイヤルアプリを起動させる（Ｓ１３２）。
図３（Ｂ）の画面中央部から下部の１から９までの数字をタップし、ダイヤル発信の操作を行い（Ｓ１３３）、ダイヤルした番号に電話回線を接続し（Ｓ１３４）、通話を行い（Ｓ１３５）、通話が終了すれば電話回線の通話を切断する（Ｓ１３６）。
【００８９】
会員がダイヤル発信操作し通話切断後に、会員がクライアントサーバー５に自動的にアクセスすることができる（Ｓ１３７）。クライアントサーバー５にアクセスした後（Ｓ１３７）、携帯端末１のＧＰＳ衛星２で計測される位置情報が、図７のアンケート台帳２０３に記載されているアンケート権利のＧＰＳ位置情報の地域の範囲内で、ＧＰＳ位置情報が該当する場合（Ｓ１３８Ｙｅｓ）、アンケートを表示することができる（Ｓ１３９）。
アンケート回答後（Ｓ１４０）、利用者にアンケート回答ポイントが積算され（Ｓ１４１）、会員にアンケート権利−１が付与され（Ｓ１４２）、ステップＳ１４３に進む。この場合、図３（Ａ）の画面においてダイヤルアプリロゴ１５の右下に数値の１が減算されて表示される。
【００９０】
図７のアンケート台帳２０３において、広告連動項目で広告ＩＤの設定がされている場合は、図６の広告コンテンツ台帳２０２に対応する広告が表示される（Ｓ１４４）。次に、利用者に広告視聴ポイントが積算され（Ｓ１４５）、会員に広告権利−１が付与され（Ｓ１４６）、作業は完了する（Ｓ１４７）。
この場合、図３（Ａ）の画面においてダイヤルアプリロゴ１５の左下に数値の１が減算されて表示される。広告連動しない場合（Ｓ１４３ＮＯ）、作業は完了する（Ｓ１４７）。
【００９１】
通信サービス提供者が、位置情報（移動体端末を所持する者の位置を示す情報であって、発信者情報でないものをいう。）について、利用者の同意を得る必要がある場合は、利用者の位置情報通知許諾のステップを挿入しても良い。また、位置情報をＧＰＳ位置情報として取得しない場合は、ステップＳ１３８は省略しても良い。
【００９２】
携帯端末１のＧＰＳ衛星２で計測される位置情報が、図７のアンケート台帳２０３に記載されているアンケート権利のＧＰＳ位置情報の地域の範囲外で、ＧＰＳ位置情報が該当しない場合（Ｓ１３８ＮＯ）、作業は終了する（Ｓ１４７）。
【００９３】
図１３は、広告及びアンケートを配信する際の制御シーケンスを示す図である。
【００９４】
携帯端末１の利用者が、広告を視聴するために図３（Ａ）のダイヤルアプリロゴ１５をタップするとダイヤルアプリが起動し（３１）、図３（Ｂ）の画面が表示され、広告権利ロゴ１６をタップすると（３２）、携帯端末１からクラウドサーバー５にアクセス許可要求が送信され（３３）、携帯端末１はクラウドサーバー５にアクセスすることができる。クラウドサーバー５は、登録された会員であるか否かを検索し、システムの利用者であることを確認する（３４）。なお、図３（Ａ）のダイヤルアプリロゴ１５に替え図４（Ａ）のメールアプリロゴ１５ｂを起動させても同一な動作が行われるので重複説明は省略する。
【００９５】
携帯端末１は、ＧＰＳ衛星２の位置情報を受信すると（３５）、緯度、経度、高度情報を演算し、ＧＰＳ位置情報を取得する（３６）。クラウドサーバー５に登録された会員であると判断された場合、クラウドサーバー５は、携帯端末１にＧＰＳ位置情報要求信号を送信する（３７）。
携帯端末１からＧＰＳ位置情報通知が送信され（３８）、クラウドサーバー５からユーザー属性情報と位置情報に該当する広告を、広告権利を有する者に限定して配信し（３９）、携帯端末１に広告が表示される（４０）。
【００９６】
広告の視聴を完了すると広告視聴完了通知を携帯端末１からクラウドサーバー５に送信し（４１）、クラウドサーバー５は、広告視聴履歴を記憶し、取得された広告視聴ポイントを積算して記憶する（４２）。広告視聴が完了した後、クラウドサーバー５から携帯端末１に広告権利−１が付与される（４３）。
【００９７】
次に、クラウドサーバー５から携帯端末１にアンケート内容が送信される（４４）。携帯端末１にアンケートが表示され（４５）、携帯端末１からクラウドサーバー５へアンケート回答が送信される（４６）。
クラウドサーバー５は、アンケート回答を記憶し、取得されたアンケート回答ポイントを積算し（４７）、クラウドサーバー５から携帯端末１にアンケート権利−１が付与される（４８）。
【００９８】
図１３に記載はされていないが、クラウドサーバー５からネットワーク８を介して広告主９に、広告視聴者の個人属性情報、広告視聴情報、アンケート回答は、１アクセス単位、一定期間経過後、情報件数単位など、設定により任意に自動送信することができ、また、広告主９からの送信要求に伴い送信することもできる。  
【００９９】
図１４は、ダイヤル発信に伴い広告及びアンケートを配信する際の制御シーケンスを示す図である。通話の前に広告を視聴し、アンケート回答する場合を表している。
【０１００】
携帯端末１の利用者が、広告を視聴するために図３（Ａ）のダイヤルアプリロゴ１５をタップするとダイヤルアプリが起動し（５１）、図３（Ｂ）の画面が表示され、キーパッドで電話番号を入力すると電話発信操作が行われる（５２）。携帯端末１は、発信者の電話番号を含む発呼信号をクラウドサーバー５に送信し（５３）、携帯端末１はクラウドサーバー５にアクセスすることができる。クラウドサーバー５は、発呼信号を受信すると、発信者の電話番号がクラウドサーバー５に登録された会員であるか否かを検索し、システムの利用者であることを確認する（５４）。
【０１０１】
携帯端末１は、ＧＰＳ衛星２の位置情報を受信すると（５５）、緯度、経度、高度情報を演算し、ＧＰＳ位置情報を取得する（５６）。
クラウドサーバー５に登録された会員であると判断された場合、クラウドサーバー５は、携帯端末１にＧＰＳ位置情報要求信号を送信する（５７）。携帯端末１からＧＰＳ位置情報通知が行われ（５８）、クラウドサーバー５からユーザー属性情報と位置情報に該当する広告を、広告権利を有する者に限定して配信し（５９）、携帯端末１に広告が表示される（６０）。
広告の視聴を完了すると広告視聴完了通知を携帯端末１からクラウドサーバー５に送信し（６１）、クラウドサーバー５は、広告視聴履歴を記憶し、取得された広告視聴ポイントを積算して記憶する（６２）。広告視聴が完了した後、クラウドサーバー５から携帯端末１に広告権利−１が付与される（６３）。
【０１０２】
次に、クラウドサーバー５から携帯端末１にアンケート内容が送信される（６４）。携帯端末１にアンケートが表示され（６５）、携帯端末１からクラウドサーバー５へアンケート回答が送信される（６６）。クラウドサーバー５は、アンケート回答を記憶し、取得されたアンケート回答ポイントを積算し（６７）、クラウドサーバー５から携帯端末１にアンケート権利−１が付与される（６８）。
【０１０３】
次に、携帯端末１は、発呼先の電話機に対し回線接続を要求する呼接続要求信号を、携帯端末（受信者）６、又は固定電話（受信者）７に対し送信する（６９）。携帯端末（受信者）６、又は固定電話（受信者）７が呼接続要求信号を受信すると、音声通話回線が接続され携帯端末１からの発信者と携帯端末（受信者）６、又は固定電話（受信者）７との間で通話が行われる（７０）。
【０１０４】
図１４に記載はされていないが、クラウドサーバー５からネットワーク８を介して広告主９に、広告視聴者の個人属性情報、広告視聴情報、アンケート回答は、１アクセス単位、一定期間経過後、情報件数単位など、設定により任意に自動送信することができ、また、広告主９からの送信要求に伴い送信することもできる。
【０１０５】
図１５は、ダイヤル発信通話後の広告及びアンケートを配信する際の制御シーケンスを示す図である。通話後に広告を視聴しアンケート回答する場合を表している。
【０１０６】
携帯端末１の利用者が、広告を視聴するために図３（Ａ）のダイヤルアプリロゴ１５をタップするとダイヤルアプリが起動し（７１）、図３（Ｂ）の画面が表示され、キーパッドで電話番号を入力すると電話発信操作が行われる（７２）。
携帯端末１は、発信者の電話番号を含む発呼信号をクラウドサーバー５に送信し（７３）、携帯端末１はクラウドサーバー５にアクセスすることができる。
【０１０７】
クラウドサーバー５は、発呼信号を受信すると、発信者の電話番号がクラウドサーバー５に登録された会員であるか否かを検索し、システムの利用者であることを確認する（７４）。
携帯端末１は、発呼先の電話機に対し回線接続を要求する呼接続要求信号を、携帯端末（受信者）６、又は固定電話（受信者）７に対し送信する（７５）。
携帯端末（受信者）６、又は固定電話（受信者）７が呼接続要求信号を受信すると、音声通話回線が接続され携帯端末１からの発信者と携帯端末（受信者）６、又は固定電話（受信者）７との間で通話が行われる（７６）。
通話が終了した後、通話切断信号が携帯端末１からクラウドサーバー５に通知される（７７）。
【０１０８】
携帯端末１は、ＧＰＳ衛星２の位置情報を受信すると（７８）、緯度、経度、高度情報を演算し、ＧＰＳ位置情報を取得する（７９）。
クラウドサーバー５に登録された会員であると判断された場合、クラウドサーバー５は、携帯端末１にＧＰＳ位置情報要求信号を送信する（８０）。
携帯端末１からＧＰＳ位置情報通知が行われ（８１）、クラウドサーバー５からユーザー属性情報と位置情報に該当する広告を、広告権利を有する者に限定して配信し（８２）、携帯端末１に広告が表示される（８３）。
【０１０９】
広告の視聴を完了すると広告視聴完了通知を携帯端末１からクラウドサーバー５に送信し（８４）、クラウドサーバー５は、広告視聴履歴を記憶し、取得された広告視聴ポイントを積算して記憶する（８５）。広告視聴が完了した後、クラウドサーバー５から携帯端末１に広告権利−１が付与される（８６）。
【０１１０】
次に、クラウドサーバー５から携帯端末１にアンケート内容が送信される（８７）。携帯端末１にアンケートが表示され（８８）、携帯端末１からクラウドサーバー５へアンケート回答が送信される（８９）。クラウドサーバー５は、アンケート回答を記憶し、取得されたアンケート回答ポイントを積算し（９０）、クラウドサーバー５から携帯端末１にアンケート権利−１が付与される（９１）。
【０１１１】
図１５に記載はされていないが、クラウドサーバー５からネットワーク８を介して広告主９に、広告視聴者の個人属性情報、広告視聴情報、アンケート回答は、１アクセス単位、一定期間経過後、情報件数単位など、設定により任意に自動送信することができ、また、広告主９からの送信要求に伴い送信することもできる。  
【産業上の利用可能性】
【０１１２】
消費者の位置情報、心理や行動を深く理解した広告戦略を立てることができるため、現状できていないエリアマーケティングやプロモーション効果が実現でき、これまでのＴＶ、新聞、インターネット広告とは別の新たなターゲットを絞った消費者に対しダイレクトに広告を提供することができる。
【符号の説明】
【０１１３】
１      携帯端末
２      ＧＰＳ衛星
３      無線基地局
４      電話交換機
５      クラウドサーバー
６      携帯端末（受信者）
７      固定電話（受信者）
８      ネットワーク
９      広告主
１０    個人属性情報取得手段
１１    広告配信手段
１２    広告視聴ポイント積算手段
１３    アンケート配信手段
１４    アンケート回答ポイント積算手段
１５    ダイヤルアプリロゴ
１５ｂ  メールアプリロゴ
１６    広告権利ロゴ
１７    アンケート権利ロゴ
１８    会員属性情報ロゴ
２０１  個人属性情報台帳
２０２  広告コンテンツ台帳
２０３  アンケート台帳
【図１】
2017084318.tif 000003
【図２】
2017084318.tif 000004
【図３】
2017084318.tif 000005
【図４】
2017084318.tif 000006
【図５】
2017084318.tif 000007
【図６】
2017084318.tif 000008
【図７】
2017084318.tif 000009
【図８】
2017084318.tif 000010
【図９】
2017084318.tif 000011
【図１０】
2017084318.tif 000012
【図１１】
2017084318.tif 000013
【図１２】
2017084318.tif 000014
【図１３】
2017084318.tif 000015
【図１４】
2017084318.tif 000016
【図１５】
2017084318.tif 000017